(57)【要約】【課題】  飲料の中に入れられた固形物を容易に潰すことができ、かつ、飲料の中に入れられた固形物を容易に取り出すことができるマドラーを提供すること。【解決手段】  一の方向に延びる棒状体１０１と、この棒状体１０１の一端から側方に向かって延び、かつ、上面１０２ａに物を載せることができるように形成された掬い取り部１０２と、この掬い取り部１０２の外周１０２ｂから下方に向かって延びる爪部１０３と、を備え、爪部１０３により飲料の中に入れられた梅等の固形物を潰し、掬い取り部１０２にこの固形物を載せて取り出すことができるマドラー１００を提供する。【選択図】    図１
0003106215.tif 000002
【実用新案登録請求の範囲】
【請求項１】
一の方向に延びる棒状体と、
前記棒状体の前記一の方向の終端から前記棒状体の側方に向かって延び、かつ、上面に物を載せることができるように面状に形成された掬い取り部と、
前記掬い取り部から前記一の方向に延びる少なくとも一つ以上の爪部と、
を備えるマドラー。
【請求項２】
前記上面は、凹面状にされていることを特徴とする請求項１に記載のマドラー。
【請求項３】
前記掬い取り部には、前記掬い取り部の厚さ方向において少なくとも一つ以上の貫通孔が形成されていることを特徴とする請求項１又は２に記載のマドラー。
【考案の詳細な説明】
【技術分野】
【０００１】
本考案は、マドラーに関する。
【背景技術】
【０００２】
従来から、コップ等に入れられた飲料を攪拌するためにマドラーが使用されている。
【０００３】
従来のマドラーとしては、実開平６−７５６９号公報に記載されたものがある。
【０００４】
図６に表されているように、実開平６−７５６９号公報に記載されたマドラー５００は、棒状体５０１の一端に球状の攪拌部５０２を設けることにより、この攪拌部５０２をコップ５１０の中に入れられた飲料５１１の中に入れて、棒状体５０１の他端側に形成された把手５０３を手でもってかき回すことができるようにされていた。
【考案の開示】
【考案が解決しようとする課題】
【０００５】
しかしながら、従来のマドラー５００では、攪拌部５０２が球状に形成されているため、飲料の中に入れられた梅等の固形物を潰したり、このような固形物を飲料の中から取り出したりするのに不便であった。
【０００６】
そこで、本考案は、飲料の中に入れられた固形物を容易に潰すことができ、かつ、飲料の中に入れられた固形物を容易に取り出すことができるマドラーを提供することを目的とする。
【課題を解決するための手段】
【０００７】
以上の課題を解決するため、本考案は、一の方向に延びる棒状体と、前記棒状体の前記一の方向の終端から前記棒状体の側方に向かって延び、かつ、上面に物を載せることができるように面状に形成された掬い取り部と、前記掬い取り部から前記一の方向に延びる少なくとも一つ以上の爪部と、を備えるマドラーを提供する。
【０００８】
このようなマドラーを提供することにより、爪部を用いて飲料の中に入れられた梅等の固形物を潰すことができるとともに、掬い取り部の上面にこの固形物を載せて飲料の外に取り出することができるようになる。
【０００９】
ここで、この掬い取り部については、上面に物を載せることができるものであればどのような形状であってもよいが、例えば、円形状に形成することにより、コップ等の中に入れられた飲料をかき回した際に、このコップ等の内側面を傷つけてしまうことがなく、好適である。
【００１０】
また、掬い取り部の上面については、物を載せやすいように凹面状に形成しておくことが望ましい。
【００１１】
ここで、爪部については、掬い取り部の外周に形成してもよく、また、掬い取り部の棒状体とは反対側の面に形成してもよい。
【００１２】
さらに、掬い取り部には、この掬い取り部の厚さ方向において少なくとも一つ以上の貫通孔を形成しておくことで、飲料の中から固形物を取り出す際に、固形物についた飲料を切ることができるようになる。
【考案の効果】
【００１３】
以上のように、本考案によれば、棒状体の一端に設けられた掬い取り部に爪部が形成されているため、この爪部を用いて飲料の中に入れられた梅等の固形物を潰すことができるとともに、掬い取り部の上面にこの固形物を載せて飲料の外に取り出すことができる。
【考案を実施するための最良の形態】
【００１４】
図１は、本考案の第一の実施形態に係るマドラー１００の斜視図である。
【００１５】
本実施形態に係るマドラー１００は、ステンレスからなり、棒状体１０１と、掬い取り部１０３と、爪部１０３と、により形成されている。
【００１６】
棒状体１０１は、横断面が矩形状の角柱状部材により形成されており、その長さＸは、コップ等に入れられた飲料を攪拌することができる範囲で適時選択することができる設計事項である。
【００１７】
棒状体１０１の一端には、この一端から棒状体１０１の側方に向かって延びる円形の板状に形成された掬い取り部１０２が設けられている。
【００１８】
掬い取り部１０２の大きさ・形状は、コップ等の飲料用容器に挿入することができ、かつ、この掬い取り部１０２の上面１０２ａに飲料の中に入れられた梅等の固形物を載せることができる範囲で適時選択することができる設計事項である。
【００１９】
また、本実施形態においては、図２（マドラー１００の縦断面図）に表されているように、掬い取り部１０２が平面状になるように形成している。
【００２０】
このように、掬い取り部１０２を平面状に形成することにより、この上面１０２ａに物を載せることができるようになる。
【００２１】
掬い取り部１０２の外周１０２ｂには、掬い取り部１０２の下方に向かって凸となるように突起状の爪部１０３が一つ形成されている。
【００２２】
ここで、爪部１０３は、この爪部１０３を飲料の中に入れられた梅等の固形物に突き刺して、この固形物を潰すことができるようにするためのものであり、このような目的を果たすことができる範囲で、その形状・大きさ・数を適時選択することができる。
【００２３】
以上のように本実施形態に係るマドラー１００を構成したので、棒状体１０１の一端に設けられた掬い取り部１０２の外周１０２ｂに形成された爪部１０３を用いて飲料の中に入れられた梅等の固形物を潰すことができるとともに、掬い取り部１０２の上面１０２ａにこの固形物を載せて飲料の外に取り出することができるようになる。
【００２４】
図３は、本考案の第二の実施形態に係るマドラー２００の斜視図である。
【００２５】
本実施形態に係るマドラー２００は、第一の実施形態と同様に、ステンレスからなり、棒状体２０１と、掬い取り部２０３と、爪部２０３と、により形成されている。
【００２６】
棒状体２０１は、横断面が矩形状の角柱状部材により形成されており、その長さは、第一の実施形態と同様に、コップ等に入れられた飲料を攪拌することができる範囲で適時選択することができる設計事項である。
【００２７】
棒状体２０１の一端には、この一端から棒状体２０１の側方に向かって延びる円形の板状に形成された掬い取り部２０２が設けられている。
【００２８】
掬い取り部２０２の大きさ・形状は、コップ等の飲料用容器に挿入することができ、かつ、この掬い取り部２０２の上面２０２ａに飲料の中に入れられた梅等の固形物を載せることができる範囲で適時選択することができる設計事項である。
【００２９】
また、本実施形態においては、図３（マドラー２００の縦断面図）に表されているように、掬い取り部２０２全体を曲面状に形成することにより、掬い取り部２０２の上面２０２ａが凹面状になるように形成している。
【００３０】
このように、掬い取り部２０２の上面２０２ａが凹面状になるようにすることにより、この上面２０２ａに容易に物を載せることができるようになる。
【００３１】
また、掬い取り部２０２には、その厚さ方向に四つの貫通孔２０４が、円形に形成された掬い取り部２０２の中心部から放射状に形成されている。
【００３２】
この貫通孔２０４は、飲料の中に入れられた梅等の固形物を取り出す際に、凹面状に形成された掬い取り部２０２の中に入り込んだ飲料を落とし込むためのものであり、このような目的を果たすことができる範囲で、貫通孔２０４の大きさ・形状・数を適時選択することができる。
【００３３】
掬い取り部２０２の外周２０２ｂには、この掬い取り部２０２の下方に向かって凸となるように突起状の爪部２０３が四つ形成されている。
【００３４】
ここで、爪部２０３は、この爪部２０３を飲料の中に入れられた梅等の固形物に突き刺して、この固形物を潰すことができるようにするためのものであり、このような目的を果たすことができる範囲で、その形状・大きさ・数を適時選択することができる。
【００３５】
以上のように本実施形態に係るマドラー２００を構成したので、棒状体２０１の一端に設けられた掬い取り部２０２の外周２０２ｂに形成された爪部２０３を用いて飲料の中に入れられた梅等の固形物を潰すことができるとともに、掬い取り部２０２の上面２０２ａにこの固形物を載せて飲料の外に取り出することができるようになる。
【００３６】
図５は、本考案の第三の実施形態に係るマドラー３００の斜視図である。
【００３７】
本実施形態に係るマドラー３００は、第一の実施形態と同様に、ステンレスからなり、棒状体３０１と、掬い取り部３０３と、爪部３０３と、により形成されている。
【００３８】
棒状体３０１は、第一の実施形態とは異なり、横断面が円形の円柱状部材により形成されており、その長さは、第一の実施形態と同様に、コップ等に入れられた飲料を攪拌することができる範囲で適時選択することができる設計事項である。
【００３９】
棒状体３０１の一端には、この一端から棒状体３０１の側方に向かって延びる円形の板状に形成された掬い取り部３０２が設けられている。
【００４０】
この掬い取り部３０２の大きさ・形状についても、第一の実施形態と同様に、コップ等の飲料用容器に挿入することができ、かつ、この掬い取り部３０２の上面３０２ａに飲料の中に入れられた梅等の固形物を載せることができる範囲で適時選択することができる設計事項である。
【００４１】
また、本実施形態においても、第一の実施形態と同様に、掬い取り部３０２の上面３０２ａが凹面状になるように形成されている。
【００４２】
ここで、本実施形態における掬い取り部３０２には、その厚さ方向に一つの貫通孔３０４が、円形に形成されている掬い取り部３０２の中心部に形成されている。
【００４３】
この貫通孔３０４の大きさ・形状・数についても、第一の実施形態と同様に、飲料の中に入れられた梅等の固形物を取り出す際に、凹面状に形成された掬い取り部３０２の中に入り込んだ飲料を落とし込むことができる範囲で適時選択することができる設計事項であり、例えば、第二の実施形態における貫通孔２０４のように形成することも可能である。
【００４４】
本実施形態における掬い取り部３０２には、第一の実施形態とは異なり、その下面３０２ｃには、貫通孔３０４の周囲に突起状の爪部３０３が形成されている。
【００４５】
ここで、爪部３０３の形状・大きさ・数については、第一の実施形態と同様に、この爪部３０３を飲料の中に入れられた梅等の固形物に突き刺して、この固形物を潰すことができる範囲で、適時選択することができる設計事項である。
【００４６】
以上のように本実施形態に係るマドラー３００を構成したので、棒状体３０１の一端に設けられた掬い取り部３０２の下面３０２ｃに形成された爪部３０３を用いて飲料の中に入れられた梅等の固形物を潰すことができるとともに、掬い取り部３０２の上面３０２ａにこの固形物を載せて飲料の外に取り出することができるようになる。
【００４７】
ここで、本実施形態においては、掬い取り部３０２の下面３０２ｃに突起状の爪部３０３が形成されているため、コップ等の底とこの掬い取り部３０２の下面との間に梅等の固形物を挟み込むことができるため、より容易にその固形物を潰すことができるようになる。
【図面の簡単な説明】
【００４８】
【図１】第一の実施形態に係るマドラー１００の斜視図。
【図２】マドラー１００の縦断面図。
【図３】第二の実施形態に係るマドラー２００の斜視図。
【図４】マドラー２００の縦断面図。
【図５】第三の実施形態に係るマドラー３００の斜視図。
【図６】従来のマドラー５００を表す斜視図。
【符号の説明】
【００４９】
１００、２００、３００  マドラー
１０１、２０１、３０１  棒状体
１０２、２０２、３０２  掬い取り部
１０３、２０３、３０３  爪部
１０４、２０４、３０４  貫通孔
【図１】
0003106215.tif 000003
【図２】
0003106215.tif 000004
【図３】
0003106215.tif 000005
【図４】
0003106215.tif 000006
【図５】
0003106215.tif 000007
【図６】
0003106215.tif 000008